(57)【要約】【課題】現場での切断作業が容易で蛇行等の変形を効果的に抑制することのできる軒樋を提供する。【解決手段】軒先Ｒの延在方向に沿って配置される長尺な底板４と底板４の短手方向両端から立ち上がる側板５Ａ，５Ｂとを有した樋部材２を備え、樋部材２には、前記延在方向に延びる孔１５ａ、１７，１８を形成する中空壁部Ｗ１，Ｗ２，Ｗ３が設けられ、中空壁部Ｗ１，Ｗ２，Ｗ３内には、長尺に形成された芯材３Ａ，３Ｂ，３Ｃが前記延在方向に配されていることを特徴とする。【選択図】図１
2015101869.tif 000002
【特許請求の範囲】
【請求項１】
軒先の延在方向に沿って配される長尺な底板とこの底板の短手方向両端から立ち上がる側板とを有した樋部材を備え、
前記樋部材には、前記延在方向に延びる孔を形成する中空壁部が設けられ、
前記中空壁部内には、長尺に形成された芯材が前記延在方向に配されていることを特徴とする軒樋。
【請求項２】
前記芯材は、前記中空壁部の内面に沿って折曲されているとともに、前記中空壁部の少なくとも三面に当接するように嵌挿されていることを特徴とする請求項１に記載の軒樋。
【請求項３】
前記中空壁部は、前記側板の上端に形成された前方耳部，後方耳部及び前記底板と前記側板とにより形成された角部に設けられていることを特徴とする請求項１又は２に記載の軒樋。
【請求項４】
前記中空壁部内に配された前記芯材は、一の前記軒樋の端部から突出し、この突出した芯材が、前記一の軒樋に接続される他の軒樋の端部に形成された中空壁部内に嵌挿されていることを特徴とする請求項１から３のいずれか一項に記載の軒樋の接続構造。
【発明の詳細な説明】
【技術分野】
【０００１】
本発明は、軒樋及び軒樋の接続構造に関する。
【背景技術】
【０００２】
一般に、軒樋は、天候等の影響を受けやすい軒先に設置され、温度変化や風雨等の外力にさらされるものであるため、従来より、蛇行又は湾曲等の変形を発生し難くするものが各種開発されている（例えば下記特許文献１）。
下記特許文献に記載の軒樋は、樋形状に成形された金属製の板部材の表面を合成樹脂で被覆して形成し、軒樋の変形を防止している。
【先行技術文献】
【特許文献】
【０００３】
【特許文献１】特開平６-３０７０３４号公報
【発明の概要】
【発明が解決しようとする課題】
【０００４】
特許文献１の軒樋は、剛性が高いという利点を有するが、現場において軒樋を切断するのが困難であるという施工上の課題があった。
【０００５】
そこで本発明は、現場での切断作業が容易で蛇行等の変形を効果的に抑制することのできる軒樋を提供することを課題とする。
【課題を解決するための手段】
【０００６】
本発明は、軒先の延在方向に沿って配される長尺な底板とこの底板の短手方向両端から立ち上がる側板とを有した樋部材を備え、前記樋部材には、前記延在方向に延びる孔を形成する中空壁部が設けられ、前記中空壁部内には、長尺に形成された芯材が前記延在方向に配されていることを特徴とする。
この構成によれば、芯材が中空壁部内に嵌挿自在となっているため、現場で樋部材の切断作業をした後に芯材を配設することができる。
【０００７】
本発明の芯材は、前記芯材は、前記中空壁部の内面に沿って折曲されているとともに、前記中空壁部の少なくとも三面に当接するように嵌挿されていることが好ましい。
この構成によれば、芯材が中空壁部の内面に沿って折曲されているため、芯材が沿っている中空壁部の複数面の変形に対する剛性が増強される。
【０００８】
本発明の前記中空壁部は、前記側板の上端に形成された前方耳部，後方耳部及び前記底板と前記側板とにより形成された角部に設けられていてもよい。
この構成によれば、既存の形状を用いて軒樋の剛性を強化することができる。
【０００９】
本発明の軒樋の接続構造は、前記中空壁部内に配された前記芯材が、一の前記軒樋の端部から突出し、この突出した芯材が、前記一の軒樋に接続される他の軒樋の端部に形成された中空壁部内に嵌挿されていることを特徴とする。
この構成によれば、軒樋間の接続部の強度が確保され、軒樋の直線性が担保される。
【発明の効果】
【００１０】
本発明の軒樋によれば、施工現場における軒樋の施工効率を向上させることができるとともに、軒樋の蛇行等による変形を防止することができるという効果を奏する。
【図面の簡単な説明】
【００１１】
【図１】本発明の一実施形態に係る軒樋の断面図である。
【図２】本発明の一実施形態に係る軒樋の一部を拡大して示した断面図である。
【図３】本発明の一実施形態に係る軒樋の一部を拡大して示した断面図である。
【図４】本発明の一実施形態に係る軒樋の一部を拡大して示した断面図である。
【図５】本発明の一実施形態に係る軒樋の設置方法を示す斜視図である。
【図６】本発明の一実施形態に係る軒樋の接続構造を示した斜視図である。
【発明を実施するための形態】
【００１２】
以下、本発明の一実施形態について、図面を用いて説明する。
図１に示すように、本発明の軒樋１は、樋形状に成形された長尺な樋部材２と芯材３Ａ，３Ｂ，３Ｃとを備えている。
樋部材２は、軒先Ｒの延在方向（図１において紙面奥行き方向。以下同様）に沿って配される底板４と、底板４の短手方向（すなわち幅方向）両端から立ち上がる側板５Ａ，５Ｂとを備え、側面視で上方にやや拡開しつつ開口する略Ｕ字状に形成されている。
【００１３】
軒先Ｒの外側に配される側板（以下「前方側板」という）５Ａの上端には、不図示の軒樋支持具に係止させる前方耳部（中空壁部）６Ａが形成されている。また、軒先Ｒの内側すなわち建物の鼻隠し板（不図示）側に設けられた側板（以下「後方側板」という）５Ｂには、不図示の軒樋支持具に係止させる後方耳部（中空壁部）６Ｂが形成されている。  
【００１４】
前方耳部６Ａは、軒先Ｒの前方側から軒樋支持具の先端部に嵌合する形状に形成されており、具体的には、軒樋支持具の先端部に設けられた不図示の係止部に係止させる上側凸条７と先端部を下方から受けさせる下側凸条８とを備えている。
【００１５】
上側凸条７は、前方側板５Ａの内壁面から後方側板５Ｂに向かって突出した第１の中空壁部Ｗ１であり、図２に示すように上面７ａが基端側において段差部９を形成し、下面７ｂにおいて軒樋支持具の係止部（不図示）に係止させる凹所１０が形成されている。また、この上側凸条７は、前方側板５Ａの延在方向に連続して形成されている。
上側凸条７の内部には、延在方向に延びる孔１５が形成されている。この孔１５の形状は、上側凸条７が所定の厚みを有するように上側凸条７の外形に沿って形成されているとともに、上側凸条７の突出方向のほぼ中央で前方側板５Ａに略平行に配されたリブ１１により二分割されて孔１５ａ，１５ｂを形成している。
【００１６】
上側凸条７の基端側すなわち前方側板５Ａ側に形成された孔１５ａには、長尺な平板部材を上側凸条７の内面形状に沿って折曲して形成された第１の芯材３Ａが配されている。
第１の芯材３Ａは、前方側板５Ａの内面に当接するよう略鉛直方向に形成された縦芯２１ｅと、縦芯２１ｅの上端から後方側板５Ｂ（図１参照）に向かって段差部９の内面に当接するまで延びた第１の横芯２１ｆと、縦芯２１ｅの下端から後方側板５Ｂに向かって、孔１５を分割しているリブ１１に当接するまで延びた第２の横芯２１ｇとを備え、孔１５ａの互いに異なる平面上に形成された隣り合う３面に当接している。
すなわち、第１の芯材３Ａは、縦芯２１ｅとその上下両端に、略同方向に延びた第１の横芯２１ｆと第２の横芯２１ｇとを備え、孔１５ａにおいて位置ずれしないように確実に配設されている。
【００１７】
図１に示すように、下側凸条８は、側面視で後方側板５Ｂに向かって漸次窄むように形成されている。下側凸条８の内部には、軒樋２の延在方向に延びる孔１６が形成されている。この孔１６の形状は、下側凸条８が所定の厚みを有するように下側凸条８の断面形状の外形に沿って形成されている。
【００１８】
後方耳部６Ｂは、後方側板５Ｂの内壁面から前方側板５Ａに向かって突出するように形成された第２の中空壁部Ｗ２であり、後方側板５Ｂの上端において湾曲しつつ前方側板５Ａに向かって延びる上壁２５ａと、上壁２５ａから前方側板５Ａに向かって傾斜しつつ下る側壁２５ｂと側壁２５ｂから段差部１２を形成しつつ後方側板５Ｂに連設される下壁２５ｃとを備えている。この後方耳部６Ｂは、後方側板５Ｂの延在方向に連続して形成されている。
【００１９】
後方耳部６Ｂの内部には、延在方向に延びる孔１７が形成されている。この孔１７の形状は、後方耳部６Ｂが所定の厚みを有するように後方耳部６Ｂの外形に沿って形成されている。
後方耳部６Ｂの孔１７には、長尺な平板を後方耳部６Ｂの内面形状に沿って折曲して形成された第２の芯材３Ｂが配されている。
【００２０】
第２の芯材３Ｂは、図３に示すように、後方耳部６Ｂの側壁２５ｂの内側に当接するよう略鉛直方向に形成された縦芯２２ｅと、縦芯２２ｅの上端から上壁２５ａの内側に沿って延び後方側板５Ｂに当接する第１の横芯２２ｆと、縦芯２２ｅの下端から後方側板５Ｂに向かって、下壁２５ｃに沿って段差部１２に当接するまで延びた第２の横芯２２ｇとを備え、孔１７の互いに異なる平面上に形成された隣り合う３面に当接している。
すなわち、第２の芯材３Ｂは、縦芯２２ｅとその上下両端に、略同方向に延びた第１の横芯２２ｆと第２の横芯２２ｇとを備え、孔１７において位置ずれしないように確実に配設されている。
【００２１】
図１に示すように、前方側板５Ａと底板４とにより形成される角部２６には、側面視で延在方向に連続して切り欠くように凹ませた段差部２７が形成されている。
この段差部２７は、前方側板５Ａの下端縁から後方側板５Ｂに向かって延びる水平壁部２８と、底板４の端縁から上方に向かって延びる立ち上がり壁部２９とを備え、樋部材２の角部２６に剛性を持たせている。
【００２２】
段差部２７の内側には、立ち上がり壁部２９が前方側板５Ａに対向するように延設された延設壁部３０と、延設壁部３０と前方側板５Ａとの間に亘ってやや下降するように傾斜した傾斜壁部３１とが設けられ、前方側板５Ａと水平壁部２８と共に、第３の中空壁部Ｗ３を構成している。第３の中空壁部Ｗ３は、側面視略矩形に形成され、その内部に輪郭が矩形の孔１８が形成されている。
孔１８には、略矩形の第３の中空壁部Ｗ３の形状に沿って第３の芯材３Ｃが配されている。  
【００２３】
第３の芯材３Ｃは、図４に示すように前方側板５Ａの内面に当接するよう略鉛直方向に形成された縦芯２３ｅと、縦芯２３ｅの上端から傾斜壁部３１に沿って延設壁部３０の内面に当接するまで延びた第１の横芯２３ｆと、縦芯２３ｅの下端から水平壁部２８に沿って延設壁部３０に当接するまで延びた第２の横芯２３ｇとを備え、孔１８を形成する互いに異なる平面上に形成された隣り合う３面に当接している。
すなわち、第３の芯材３Ｃは、縦芯２３ｅとその上下両端に、略同方向に延びた第１の横芯２３ｆと第２の横芯２３ｇとを備え、孔１８において位置ずれしないように確実に配設されている。
【００２４】
樋部材２は、例えばポリ塩化ビニル樹脂，ポリ塩化ビニル樹脂層に耐候性に優れたＡＥＳ樹脂やＡＳＡ樹脂のような耐光性樹脂層が表面に被覆された構造となっていることが好ましく、押出成形法により成形されている。
【００２５】
第１から第３の芯材３Ａ，３Ｂ，３Ｃの材質としては、耐候性が高く樋部材２を形成している合成樹脂よりも剛性が高いものであれば、例えば繊維補強樹脂（ＦＲＰ）であってもどのようなものであってもよいが、金属を使用することが好ましく、本実施形態ではステンレスを用いている。
【００２６】
次に、本実施形態の軒樋１の施工方法及び軒樋１の作用及び機能について説明する。
まず、図５に示すように、軒樋１の設置前に、樋部材２を軒下Ｒ（図１参照）の延在寸法に合わせて切断する。そして、前方耳部６Ａの上側凸条７の基端側の孔１５ａ、後方耳部６Ｂの孔１７及び段差部２７に形成された第３の中空壁部Ｗ３の孔１８の形状に合わせて折曲した第１から第３の芯材３Ａ，３Ｂ，３Ｃをそれぞれ形状が対応する孔１５ａ，１７，１８に挿入する。
このようにして軒樋１を完成させて、建物に設置された軒樋支持具に軒樋１を係止させて軒樋１の軒先Ｒへの設置が完了する。
【００２７】
以上のようにして設置された軒樋１は、樋部材２の切断後に第１から第３の芯材３Ａ，３Ｂ，３Ｃを配設することができる構成となっているため、図１に示す軒先Ｒの寸法に合わせた樋部材２の施工現場での切断が容易となり、施工の作業効率が向上するという効果が得られる。
【００２８】
また、第１から第３の芯材３Ａ，３Ｂ，３Ｃは、樋部材２の略全体に配されていれば、樋部材２の蛇行、湾曲等の変形を防止することができるものであるため、第１から第３の芯材３Ａ，３Ｂ，３Ｃを予め樋部材２の設置長さよりも短く形成しておくことにより、現場での第１から第３の芯材３Ａ，３Ｂ，３Ｃの切断作業を省略することができるという効果が得られる。
【００２９】
また更に、第１から第３の芯材３Ａ，３Ｂ，３Ｃを予め上記のように切断しておくことにより、樋部材２と共に梱包しておくことができ、軒樋１の設置に必要な部材を漏れなくかつ効率よく施工現場に運搬することができるという効果が得られる。
【００３０】
また、軒樋１は、樋部材２の一部すなわち上端に位置する前方耳部６Ａ、後方耳部６Ｂ及び角部２６に位置する第３の中空壁部Ｗ３に形成された孔１５ａ，１７，１８に第１から第３の芯材３Ａ，３Ｂ，３Ｃを配設しているため、軒樋１を極力軽量に維持しつつ、軒樋１全体の強度を向上させることができる。したがって、施工がより容易になるとともに施工後に軒樋１が変形したり蛇行したりするのを有効に防止することができる。
【００３１】
また、第１から第３の芯材３Ａ，３Ｂ，３Ｃは、ステンレス製の長尺な平板部材を、各孔１５ａ，１７，１８の内面に沿って当接するように略鉛直方向に延びる縦芯２１ｅ，２２ｅ，２３ｅとその上下端から同方向に延びる第１の横芯２１ｆ，２２ｆ，２３ｆ及び第２の横芯２１ｇ，２２ｇ，２３ｇが形成されるように（すなわち断面略コ字状になるよう）折曲して形成されている。したがって、雨水による錆びの発生を防止して長期間に亘って樋部材２を補強することができるとともに、縦芯２１ｅ，２２ｅ，２３ｅ、第１の横芯２１ｆ，２２ｆ，２３ｆ及び第２の横芯２１ｇ，２２ｇ，２３ｇの板面に沿うすなわち複数方向の蛇行、湾曲等の変形に対する強度を高めることができるという効果が得られる。
【００３２】
また、第１から第３の芯材３Ａ，３Ｂ，３Ｃは、いずれも前方耳部６Ａ、後方耳部６Ｂ及び中空壁部Ｗ３内で隣り合って連続する３つの内壁面に当接するように嵌挿されているため、孔１５ａ，１７，１８において前方耳部６Ａ、後方耳部６Ｂ及び第３の中空壁部Ｗ３を形成する各壁部をしっかりと支持して、各面に沿う方向の蛇行、湾曲等の変形を効果的に防止することができるという効果が得られる。
【００３３】
また、樋部材２の上端となる前方耳部６Ａ及び後方耳部６Ｂ並びに日光に当たりやすい側の角部に形成された第１から第３の中空壁部Ｗ１，Ｗ２，Ｗ３の合計３か所に、第１から第３の芯材３Ａ，３Ｂ，３Ｃを挿入したので、軒樋１をより高い剛性を付与することができる。従って、樋部材２が、現場設置時に蛇行して変形するのをより確実に抑制することができる。
【００３４】
以上、本発明の軒樋１の実施形態について説明したが、本発明は、上記実施形態で示した構成に限定されるものではなく、本発明の趣旨を逸脱しない範囲で変更することができる。具体的には、第１から第３の芯材３Ａ，３Ｂ，３Ｃは、樋部材２に形成された第１から第３の中空壁部Ｗ１，Ｗ２，Ｗ３のすべての孔１５ａ，１７，１８に嵌挿されていることは必ずしも必要ではなく、例えば第１又は第２の中空壁部Ｗ１，Ｗ２等、一部の中空壁部内に嵌挿されているだけでも蛇行等の変形を防止することができるという効果は得られる。また、第１から第３の芯材３Ａ，３Ｂ，３Ｃは、第１から第３の中空壁部Ｗ１，Ｗ２，Ｗ３以外の中空壁部に配設されたものであってもよい。
【００３５】
第１から第３の芯材３Ａ，３Ｂ，３Ｃのいずれか又は全ては、端部同士を対向配置させて一方向に接続される軒樋２，２同士の間に跨って配されていることが好ましい。すなわち、図６に示すように、一の軒樋２の中空壁部Ｗ１−Ｗ３内に配された第１から第３の芯材３Ａ，３Ｂ，３Ｃが軒樋２の端部から突出し、突出した芯材３Ａ，３Ｂ，３Ｃが、不図示の軒樋継手を介して一の軒樋２に接続される他の軒樋２の端部に形成された中空壁部Ｗ１−Ｗ３内に嵌挿されていることが好ましい。
【００３６】
このように、一の軒樋２と他の軒樋２との間に跨って第１から第３の芯材３Ａ，３Ｂ，３Ｃが嵌挿された場合には、軒樋２，２の端部間（すなわち接続部）の強度を確保することができるとともに、軒樋２，２の直線性が担保されるという効果が得られる。
【００３７】
なお、第１から第３の芯材３Ａ，３Ｂ，３Ｃのいずれか又は全ては、軒樋２の全体に亘って配されていることが好ましいが、軒樋２の蛇行に影響を及ぼさない限り、軒樋２の延在方向に間欠的に配されたものであってもよい。
【００３８】
また、中空壁部Ｗ１，Ｗ２，Ｗ３は、樋部材２の上端又は角部２６に形成しやすく、また樋部材２の強度の向上にとっても好ましいが、上端又は角部２６以外の箇所に、前方耳部６Ａ、後方耳部６Ｂ又は角部２６の中空壁部Ｗ３と同様にして形成され、その内部に芯材３Ａ等が配設されたものであってもよい。
【００３９】
また、芯材３Ａ等は、中空壁部Ｗ１，Ｗ２，Ｗ３の内壁面に当接するよう形成されたものであることが好ましいが、内壁面に当接しない部分があってもよい。また更に、芯材３Ａ等は、隣り合って連続する中空壁部Ｗ１，Ｗ２，Ｗ３の内壁面に当接するよう略コ字状すなわち縦芯２１ｅ，２２ｅ，２３ｅと縦芯２１ｅ，２２ｅ，２３ｅの短手方向両端から略同方向に延びる形状に形成されていることが好ましいが、第１から第３の中空壁部Ｗ１，Ｗ２，Ｗ３の内壁面のうちの一面又は二面に当接するよう形成されたものであってもよい。
また、芯材３Ａ等の表面には、当接する中空壁部Ｗ１−Ｗ３の内周面に対して挿入時には抵抗がないが、引き抜き方向に力が加わった際に抵抗となる不図示の係止突起が設けられていてもよい。
【符号の説明】
【００４０】
１    軒樋
２    樋部材
３Ａ  第１の芯材
３Ｂ  第２の芯材
３Ｃ  第３の芯材
４    底板
５Ａ  前方側板（側板）
５Ｂ  後方側板（側板）
６Ａ  前方耳部（耳部，中空壁部）
７    上側凸条（第１の中空壁部Ｗ１）
８    下側凸条（中空壁部）
６Ｂ  後方耳部（耳部，第２の中空壁部Ｗ２）
Ｗ３  第３の中空壁部
１５ａ  孔
１５ｂ  孔
１６    孔
１７    孔
１８    孔
２６    角部
【図１】
2015101869.tif 000003
【図２】
2015101869.tif 000004
【図３】
2015101869.tif 000005
【図４】
2015101869.tif 000006
【図５】
2015101869.tif 000007
【図６】
2015101869.tif 000008